(57)【要約】      （修正有）【課題】炉本体の上方を開閉する上扉を備えた陶芸窯において、断熱効果を十分に満足すると共に軽量化を実現でき、かつ、耐久性を良好に維持できる上扉の構造を提供する。【解決手段】上扉３は、断熱材で形成されて炉本体の周壁に沿って多角形状の周壁を備えた蓋体３ａと、コの字状の断面を有し、蓋体における多角形状の各辺毎に、蓋体を厚み方向にコの字状に挟着する挟着部材３ｂと、蓋体の周囲に沿って、挟着部材の側部を覆う帯状部材３ｃと、帯状部材の一端に接合され、帯状部材が縮径するように、帯状部材の他端を締め付けて接合する締付部材１３と、によって構成されている。【選択図】図１
2006349259.tif 000002
【特許請求の範囲】
【請求項１】
多角形状の周壁によって構成され上方に開口部を有する炉本体と、該炉本体の上方に配設されて、一端側が炉本体上部に揺動自在に支持され、該一端側を支点として上下に揺動し前記開口部の開放と遮蔽を行う上扉と、
を備え、
前記上扉は、
断熱材で形成されて前記炉本体の周壁に沿って多角形状の周壁を備えた蓋体と、
前記蓋体における多角形状の各辺毎に該蓋体を厚み方向にコの字状に挟着する挟着部材と、
前記蓋体の周囲に沿って、前記挟着部材の側部を覆う帯状部材と、
前記帯状部材の一端に接合され、該帯状部材が縮径するように、該帯状部材の他端部を締め付けて固定する締付部材と、
によって構成されている、
ことを特徴とする陶芸窯における上扉の構造。
【請求項２】
前記締付部材が、前記蓋体の多角形状の周壁の角部に配設されていることを特徴とする請求項１に記載の陶芸窯における上扉の構造。
【請求項３】
前記炉本体の上部には、蓋体及び挟着部材の下部との間に、周方向に沿って径方向の端部が開口した空隙が構成されていることを特徴とする請求項１又は請求項２に記載の陶芸窯における上扉の構造。
【請求項４】
前記炉本体の一端側には前記上扉を揺動自在に支持する支軸が備えられ、
前記上扉が、該上扉の両側方から前記帯状部材を介して前記支軸に支持されている、
ことを特徴とする請求項１乃至請求項３の何れか記載の陶芸窯における上扉の構造。
【発明の詳細な説明】
【技術分野】
【０００１】
本発明は、炉本体の上方を開閉する陶芸窯の上扉の構造に関する。
【背景技術】
【０００２】
従来、粘土を原料として造形された陶芸作品を。所定の強度及び外観を得るために、焼成炉内で焼成する陶芸窯が知られている。そして、この陶芸窯において、上扉の一端側が炉本体に揺動自在に支持され、上扉を上下に揺動して炉本体の開口部を開放したり閉鎖したりする上扉の開閉構造が知られている（例えば、非特許文献１参照）。
【０００３】
ところで、上述の構成を有する陶芸窯の上扉には、炉内の熱のやガスの流出を抑制すべく断熱性が要求されると共に、高温化で繰り返し使用する際の耐久性が要求される。そこで、陶芸窯において、断熱性と耐久性を満足するために、上扉を耐火煉瓦で形成し、且つこの耐火煉瓦の上面及び外周を金属体で覆うように構成したものがある。
【非特許文献１】登録実用新案第３０００７７５号公報
【発明の開示】
【発明が解決しようとする課題】
【０００４】
しかしながら、上述の従来例の構成によれば、上扉の重量が大きくなりがちであって、オペレータが上扉を開閉する際の操作性を損なう虞があった。また、上扉を上下に揺動する際に、上扉と炉本体との連結部に過大な応力が発生し、破損が生じる虞があった。
【０００５】
そこで、本発明は、炉本体の上方を開閉する上扉を備えた陶芸窯において、断熱効果を十分に満足すると共に軽量化を実現でき、かつ、耐久性を良好に維持できる上扉の構造を提供することを目的とする。
【課題を解決するための手段】
【０００６】
かかる目的を達成するためになされた請求項１に記載の発明は、多角形状の周壁によって構成され上方に開口部を有する炉本体と、該炉本体の上方に配設されて、一端側が炉本体上部に揺動自在に支持され、該一端側を支点として上下に揺動し前記開口部の開放と遮蔽を行う上扉とを備えた陶芸窯の上扉の構造であって、前記上扉は、断熱材で形成されて前記炉本体の周壁に沿って多角形状の周壁を備えた蓋体と、前記蓋体における多角形状の各辺毎に該蓋体を厚み方向にコの字状に挟着する挟着部材と、前記蓋体の周囲に沿って、前記挟着部材の側部を覆う帯状部材と、前記帯状部材の一端に接合され、該帯状部材が縮径するように、該帯状部材の他端部を締め付けて固定する締付部材と、によって構成されている、ことを特徴とする。
【０００７】
請求項１に記載の陶芸窯の上扉の構造によれば、上扉が断熱材で形成され、蓋体における多角形状の各辺毎に、該蓋体を厚み方向にコの字状に挟着する挟着部材と、挟着部材の側部を覆う帯状部材と、帯状部材の一端に接合され、該帯状部材が縮径するように、帯状部材の他端部を締め付けて固定する締付部材と、によって構成されているので、例えば、断熱材の上面及び外周を金属体で覆うような一般的な構造よりも、軽量化を実現できる。また、上扉を繰り返して揺動する際の耐久性を良好に維持できると共に、高温下で長時間使用する際の歪の発生を低減できる。
【０００８】
また、請求項１に記載の陶芸窯の上扉の構造は、請求項２に記載の発明のように、前記締付部材が、前記蓋体の多角形状の周壁の角部に配設されていることにより、帯状部材が緩むことがないように、帯状部材の締め付けを安定して維持できる。また、請求項１に記載の陶芸窯の上扉の構造は、上扉が多角形状の周壁で構成されているので、その多角形状の頂部を介して帯状部材がずれることがないように締め付けることができ、多角形状の各辺毎に、蓋体を均一に補強できる。
【０００９】
また、請求項１又は請求項２に記載の陶芸窯の上扉の構造は、請求項３に記載の発明のように、前記炉本体の上部には、蓋体及び挟着部材の下部との間に、周方向に沿って径方向の端部が開口した空隙が構成されていることにより、この空隙内に空気が流れて、上扉の周壁の温度上昇を抑制し、高温下で長時間使用する際の、上扉の歪の発生を低減できる。
【００１０】
また、請求項１乃至請求項３の何れか記載の陶芸窯の上扉の構造は、請求項４に記載の発明のように、前記炉本体の一端側には前記上扉を揺動自在に支持する支軸が備えられ、
前記上扉が、該上扉の両側方から前記帯状部材を介して前記支軸に支持されていることにより、上扉を揺動する際の十分な耐久力を維持できる。つまり、本発明の陶芸窯の上扉の構造は、上扉が両側方から帯状部材を介して支軸に支持されているので、この上扉の一端を直接支軸に支持するよりも、その支持部の応力を低減できて耐久力を向上できる。
【発明の効果】
【００１１】
本発明の陶芸窯の上扉の構造によれば、上扉が断熱材で形成され、蓋体における多角形状の各辺毎に該蓋体を厚み方向にコの字状に挟着する挟着部材と、挟着部材の側部を覆う帯状部材と、該帯状部材が縮径するように、帯状部材を締め付けて固定する締付部材と、によって構成されているので、例えば、上扉が断熱材の上面及び外周を金属体で覆うように構成されているよりも、上扉の軽量化を実現できる。また、本発明の陶芸窯の上扉の構造によれば、上扉が多角形状の周壁で構成されているので、その頂部を介して帯状部材がずれることがないように、帯状部材を締め付けることができ、多角形状の各辺毎に蓋体を均一に補強でき、上扉を繰り返して揺動する際の耐久性を良好に維持できると共に、高温下で長時間使用する際の歪の発生を防止できる。
【００１２】
また、本発明の陶芸窯の上扉の構造によれば、挟着部材の下部と該下部に対向する炉本体の上部との間に、空隙が構成されていることにより、この空隙内に空気が流れて、上扉の周壁の温度上昇を抑制し、高温下で長時間使用する際の歪の発生を低減できる。
【００１３】
また、本発明の陶芸窯の上扉の構造によれば、上扉が両側方から帯状部材を介して支軸に支持されているので、この上扉の蓋体を直接支軸に支持させるよりも、その支持部の応力を低減できて耐久力を向上できる。
【発明を実施するための最良の形態】
【００１４】
次に、本発明の陶芸窯の扉の開閉構造の一実施例を、図面にもとづいて説明する。図１は、本発明の一実施例の陶芸窯の外観を表す外観図であって、（ａ）が上方から視た平面図、（ｂ）は、正面から視た正面図、図２は、同実施例の陶芸窯の上扉の構造を表す外観図であって、（ａ）が上方から視た平面図、（ｂ）は、正面から視た正面図、図３は、同実施例の陶芸窯の上扉の構造を表す断面図である。
【００１５】
図１に表したように、陶芸窯１は、上方が開口し略十角形の形状に形成された炉本体２と、炉本体２の開口部を覆うように炉本体２に開閉自在に装着された上扉３とを備えている。
【００１６】
上扉３は、炉本体２の一端側に備えた支軸７を支点として、上下に揺動し炉本体２上方の開口部の開放と遮蔽を行うように構成されている。詳しくは、炉本体２の一端側に、支軸７を支持する支軸支持金具８が固定され、この支軸７に、上扉３が上扉支持金具９を介して揺動自在に係合している。また、支軸支持金具８が、炉本体２の周壁にボルトを介して固定され、上扉支持金具９が、上扉３の周壁にボルトを介して固定されている。また、上扉３の他端側には、オペレータが上扉３を開閉する際に把持する取っ手４が備えられている。
【００１７】
上扉３は、耐火煉瓦（所謂、本発明における断熱材である。）で形成されて炉本体２の周壁に沿って多角形状の周壁を備えた蓋体３ａと、蓋体３ａにおける多角形状の各辺毎に、蓋体３ａを厚み方向に挟着する複数の挟着部材３ｂと、蓋体３ａの周囲に沿って挟着部材３ｂの側部を覆う帯状部材３ｃと、帯状部材３ｃの一端が接合され、帯状部材３ｃが縮径するように、帯状部材３ｃの他端部を締め付けて固定する締付部材１３とによって構成されている。また、挟着部材３ｂ及び帯状部材３ｃは、耐強度、耐食性及び耐熱性等が良好なステンレス材を用いて形成されている。また、締付部材１３は、蓋体３ａの多角形状の角部に配設されている。
【００１８】
また、上扉支持金具９は、支軸７と取っ手１２を結ぶ線Ｘ−Ｘを対称軸として、蓋体３ａの両側方から、帯状部材３ｃを介して支軸７に支持されている。詳しくは、上扉支持金具９の両端が支軸７との連結部から延出して帯状部材３ｃに重なり、帯状部材３ｃと一体に蓋体３ａの周壁にボルト締めされている。
【００１９】
次に、図３に表したように、挟着部材３ｂは、コの字状の断面を有し、蓋体３ａの上面に当接する上部３ｆと、蓋体３ａの下面に当接する下部３ｇと、上部３ｆと下部３ｇとを連結すると共に蓋体３ａの外周部に当接する側部３ｈとから構成されている。
【００２０】
また、炉本体２は、耐火煉瓦２ａと耐火煉瓦２ａを覆う金属体２ｂによって周壁が形成されている。また、上扉３ａが炉本体２を遮蔽する遮蔽位置において、炉本体２の上部と、蓋体３ａ及び挟着部材３ｂの下部３ｇとの間に、周方向に沿って径方向の端部が開口した空隙Ｃが構成されている。
【００２１】
次に、図２に表したように、帯状部材３ｃは、その両端に、この帯状部材３ｃよりも幅小の、一対のステンレス製バンド５、６が溶接５ｈ、６ｈ等で接合され、一対のバンド５、６を介して、締付部材１３によって上蓋３ａの周壁に締め付けられている。
【００２２】
締付部材１３には、一方のバンド５が一体に固定されネジ部材１１を回転自在に支持するハウジング１２と、ネジ部材１１とを備えている。また、他方のバンド６には、ネジ部材１１のネジ山が係合する複数の係合孔６ａが、ネジ部材１１のネジ山の１ピッチ間隔毎に複数並設されている。
【００２３】
ネジ部材１１は、ハウジング１２内に収納され螺旋状のネジ山が形成された軸部１１ａと、ハウジング１２外方に配設され軸部１１ａの端部に連結した頂部１１ｂとから成り、オペレータが頂部１１ｂを回転させると、軸部１１ａが頂部１１ｂと一体となってハウジング１２内で回転するように構成されている。
【００２４】
また、ハウジング１２は、蓋体３ａ側に位置する端部が一方のバンド５に固定され、一方のバンド５とネジ部材１１の軸部１１ｂとの間に他方のバンド６が挿通される間隙１３ｃが構成されている。
【００２５】
そして、オペレータが、他方のバンド６の先端側をハウジング１２内に挿入し、ネジ部材１１を回転させると、ネジ部材１１のネジ山が、順次、１ピッチ毎に隣接する係合孔６ａに係合し、他方のバンド６がハウジング１２から引き出され、帯状部材３ｃが蓋体３ａの外周を締め付けるように構成されている。
【００２６】
次に、本実施例における陶芸窯１の上扉３の構造の作用効果を説明する。
【００２７】
本実施例に記載の陶芸窯１の上扉３の構造によれば、上扉３の蓋体３ａが耐熱煉瓦で形成され、蓋体３ａを厚み方向にコの字状に挟着する挟着部材３ｂと、挟着部材３ｂの側部３ｈを覆う帯状部材３ｃと、帯状部材３ｃが縮径するように、バンド６を締め付けて固定する締付部材１３と、によって構成されているので、例えば、上扉３ａが耐火煉瓦断の上面及び外周を金属体で覆うように構成されているよりも、軽量化を実現できる。また、上扉３ａを繰り返して揺動する際の耐久性を良好に維持できると共に、高温下で長時間使用する際の歪の発生を低減できる。
【００２８】
また、本実施例に記載の陶芸窯１の上扉３の構造は、締付部材１３が、蓋体３ａの多角形状の角部に配設されていることにより、帯状部材３ｃが緩むことがないように、帯状部材３ｃの締め付けを安定して維持できる。
【００２９】
また、本実施例に記載の陶芸窯１の上扉３の構造は、挟着部材３ｂの下部３ｇと下部３ｇに対向する炉本体２の上部との間に、空隙Ｃが構成されていることにより、この空隙Ｃ内に空気が流れて、上扉３の周壁の温度上昇を抑制し、高温下で長時間使用する際の、上扉３の歪の発生を低減できる。
【００３０】
また、本実施例に記載の陶芸窯１の上扉３の構造は、炉本体２の一端側には上扉３を揺動自在に支持する支軸７が備えられれ、上扉３が、両側方から帯状部材３ｃを介して支軸７に支持されていることにより、上扉３を揺動する際の十分な耐久力を維持できる。
【００３１】
以上、本発明の一実施例について説明したが、本発明は、前記実施例に限定されるものでなく、種各の態様を取ることができる。例えば、本実施例の陶芸窯１の上扉３の構造において、上蓋３の多角形状の各辺毎に、複数の挟着部材３ｂを備えたが、これらの挟着部材３ｂを個々に備える代わりに一体に形成してもよい。
【００３２】
また、本実施例の陶芸窯１の上扉の構造において、挟着部材３ｂ及び帯状部材３ｃ、バンド５、６等をステンレス材で形成したが、ステンレスに限定されることなく、耐熱性や強度の優れた材質であれば良く、好ましくは、線膨張係数が蓋体３ａの材質に近いものから選択するとよい。
【００３３】
また、実施例の陶芸窯１の上扉３の構造において、炉本体２及び上扉３の形状を十角形状に構成したが、十角形状に限定されるものでなく、その外周に少なくとも複数の平面を構成したものであればよい。また、蓋体３ａの外周には、挟着部材３ｂを係合する凹部を形成してもよい。
【図面の簡単な説明】
【００３４】
【図１】本発明の一実施例の陶芸窯の外観を表す外観図であって、（ａ）が上方から視た平面図、（ｂ）は、正面から視た正面図である。
【図２】同実施例の陶芸窯の上扉の構造を表す外観図であって、（ａ）が上方から視た平面図、（ｂ）は、正面から視た正面図である。
【図３】同実施例の陶芸窯の上扉の構造を表す断面図である。
【符号の説明】
【００３５】
１…陶芸窯、２…炉本体、２ａ…耐火煉瓦、２ｂ…金属体、３…上扉、３ａ…蓋体、３ｂ…挟着部材、３ｃ…帯状部材、３ｆ…上部、３ｇ…下部、３ｈ…側部、４…取っ手、５，６…バンド、５ｈ，６ｈ…溶接、６ａ…係合孔、７…支軸、８…支軸支持金具、９…上扉支持金具、１１…ネジ部材、１１ａ…軸部、１１ｂ…頂部、１２…ハウジング、１３…締付部材。
【図１】
2006349259.tif 000003
【図２】
2006349259.tif 000004
【図３】
2006349259.tif 000005